(57)【要約】      （修正有）【課題】操作が簡便で、構造が比較的に簡単で、コストも低く、組み立ても便利で、普及して使用することに適する農産物栽培用のシャベルを提供する。【解決手段】シャベルは、表面を含み、シャベル表面の対称軸のところに内へ窪むガイド溝４１を設置する。ガイド溝の右側にパイプカバー２を設置し、パイプカバーとシャベル表面の間は溶接で固定される。パイプカバーに柔軟に地錐ロッド４を取り付け、地錐ロッドの左側は円錐状で、シャベル表面の左側に延びる。地錐ロッドの右側にハンドルロッド３を固定し、ハンドルロッドの右側にグリップリング５を配合する。ハンドルロッドのシャフトに二つのスリップ防止カバー６を設置し、左側のスリップ防止カバーの左側にバッフル６１を設置し、パイプカバーとバッフルの間にリセットスプリング２６を装置する。使用しない場合、地錐ロッドをガイド溝に引込めて、安全事故を下げる。使用する場合は、地錐ロッドはガイド溝から押し出し、土に挿入する。【選択図】図１
0003206171.tif 000002
【実用新案登録請求の範囲】
【請求項１】
シャベルにおいて、
シャベル表面を含み、上述のシャベル表面の対称軸のところに内へ窪むガイド溝を設置し、上述のガイド溝の右側にパイプカバーを設置して、上述のパイプカバーと上述のシャベル表面の間は溶接で固定され、上述のパイプカバーに柔軟に地錐ロッドを取り付けて、上述の地錐ロッドの左側は円錐状で、且つ上述の地錐ロッドは上述のシャベル表面の左側に延び、上述の地錐ロッドの右側にハンドルロッドを固定して、上述のハンドルロッドの右側にグリップリングを配合し、上述のハンドルロッドのシャフトに二つのスリップ防止カバーを設置して、左側のスリップ防止カバーの左側にバッフルを設置して、上述のパイプカバーと上述のバッフルの間にリセットスプリングを設置する
ことを特徴とするシャベル。
【考案の詳細な説明】
【技術分野】
【０００１】
本実用新型は一種農産物を栽培する用のシャベルに関連する。
【背景技術】
【０００２】
掘るシャベルは一種よくある農業用の金属工具である。伝統的な掘るシャベルの構造はとても簡単であるが、しかし掘るシャベルの頭が比較的に鋭くて、使用しない場合は傷つけやすいから、伝統的な掘るシャベルが非常な安全リスクがある。
【考案の概要】
【考案が解決しようとする課題】
【０００３】
本実用新型は解決する問題が一種農産物を栽培する用のシャベルを提供することである。当該装置を使用する時に、シャベル表面で土を擦り取って、石ごろだったら、地錐ロッドで石ごろを取り出す。操作は簡単で便利である。
【課題を解決するための手段】
【０００４】
上述の問題を解決するため、本実用新型は下記の技術方案を採用する。
【０００５】
本実用新型は一種農産物を栽培する用のシャベルである。シャベル表面を含み、上述のシャベル表面の対称軸のところに内へ窪むガイド溝を設置する。上述のガイド溝の右側にパイプカバーを設置して、上述のパイプカバーと上述のシャベル表面の間に溶接で固定される。上述のシャベル表面の左側はアークで移行する。上述のパイプカバーに柔軟に地錐ロッドを取り付けて、上述の地錐ロッドの左側は円錐状で、且つ上述の地錐ロッドは上述のシャベル表面の左側に延べる。上述の地錐ロッドの右側にハンドルロッドを固定して、上述のハンドルロッドの右側にグリップリングを配合する。上述のハンドルロッドのシャフトに二つのスリップ防止カバーを設置して、左側のスリップ防止カバーの左側にバッフルを設置して、上述のパイプカバーと上述のバッフルの間にリセットスプリングを装置する。
【０００６】
望ましくて、上述のシャベル表面の横に二本以上の鉄筋を設置して、上述の鉄筋と上述のシャベル表面の間に溶接で固定される。上述の鉄筋の断面は半円形である。
【０００７】
望ましくて、上述のハンドルロッドの内部に二つ以上の位置決め片を設置して、上述の位置決め片に二つ以上のスルーホールを環形で設置する。上述のスルーホール内に第一スチールロッドを配合して、上述の位置決め片の軸心の位置に第一スルーホールを設置して、上述の第一スルーホール内に第二スチールロッドを設置する。
【０００８】
望ましくて、上述のスリップ防止カバーがスポンジカバー或いはゴムカバーである。
【０００９】
望ましくて上述のグリップリングが一つのカバーがあって、上述のカバーは上述のハンドルロッドの間にねじ山で接続する。
【考案の効果】
【００１０】
本実用新型の有益な効果は当該装置が使用しない場合は、地錐ロッドをガイド溝に引込めて、安全事故を下げる。使用する場合は、地錐ロッドはガイド溝から押し出されて、シャベル表面を導いて土に挿入する。操作は簡便である。本装置の構造は比較的に簡単で、コストも低いし、組み立ても便利だし、普及して使用することに適する。
【図面の簡単な説明】
【００１１】
【図１】本実用新型の構造見取り図である。
【図２】本実用新型のA-Aの断面図である。
【考案を実施するための形態】
【００１２】
次は附図を結合して本実用新型の好ましい実施例を詳しく述べて、本実用新型のメリットと特徴を本分野の技術員により容易に理解されて、本実用新型の保護範囲にもっと明確な定義をするためである。
【００１３】
図1と図2を参照して、新型は一種農産物を栽培する用のシャベルを示した。シャベル表面1を含み、上述のシャベル表面1の対称軸のところに内へ窪むガイド41溝を設置する。上述のガイド溝41の右側にパイプカバー2を設置して、上述のパイプカバー2と上述のシャベル表面1の間に溶接で固定される。上述のシャベル表面1の左側はアークで移行する。上述のパイプカバー2に柔軟に地錐ロッド4を取り付けて、上述の地錐ロッド4の左側は円錐状で、且つ上述の地錐ロッド4は上述のシャベル表面1の左側に延べる。上述の地錐ロッド4の右側にハンドルロッド3を固定して、上述のハンドルロッド3の右側にグリップリング5を配合する。上述のハンドルロッド3のシャフトに二つのスリップ防止カバー6を設置して、左側のスリップ防止カバー6の左側にバッフル61を設置して、上述のパイプカバー2と上述のバッフル61の間にリセットスプリング26を装置する。
【００１４】
本実用新型中の一つの好ましい実施例は上述のシャベル1表面の横に二本以上の鉄筋111を設置して、上述の鉄筋111と上述のシャベル表面1の間に溶接で固定される。上述の鉄筋111の断面は半円形である。
【００１５】
本実用新型中の一つの好ましい実施例は上述のハンドルロッド3の内部に二つ以上の位置決め片311を設置して、上述の位置決め片311に二つ以上のスルーホール（図示しない）を環形で設置する。上述のスルーホール内に第一スチールロッド312を配合して、上述の位置決め片311の軸心の位置に第一スルーホール（図示しない）を設置して、上述の第一スルーホール内に第二スチールロッド313を設置する。
【００１６】
本実用新型中の一つの好ましい実施例は上述のスリップ防止カバー6がスポンジカバー或いはゴムカバーである。
【００１７】
本実用新型中の一つの好ましい実施例は上述のグリップリング5が一つのカバー511があって、上述のカバー511は上述のハンドルロッド3の間にねじ山で接続する。
【００１８】
本実用新型の有益な効果は当該装置が使用しない場合は、地錐ロッドをガイド溝に引込めて、安全事故を下げる。使用する場合は、地錐ロッドはガイド溝から押し出されて、シャベル表面を導いて土に挿入する。操作は簡便である。本装置の構造は比較的に簡単で、コストも低いし、組み立ても便利だし、普及して使用することに適する。    
【００１９】
以上は本実用新型の基本原理、主要特徴と本実用新案のメリットを示して描写した。本業界の技術員は本実用新型が上述の実施例の制限を受けなく、上述の実施例と説明書に描写したのはただ本実用新型の原理を説明することを理解すべき。本実用新型の精神と範囲を離れない前提で、本実用新型はまだまだ各種の変化と改善がある。これらの変化と改善はすべて保護される本実用新型の範囲にある。本実用新型の保護範囲が添付した権利要求書及びその等しいものに定義を定める。
【図１】
0003206171.tif 000003
【図２】
0003206171.tif 000004